(57)【要約】【課題】オペレータが自動初期準備の終了予定時間を容易に把握することができる自動分析装置を提供する。【解決手段】分析対象試料を分析する自動分析装置において、分析対象試料を分析するための準備を行う自動初期準備の設定画面２０１の動作内容設定部２０４によって準備項目を選択的に設定し、準備終了予定時刻表示部２０３により自動初期準備の終了予定時刻を設定する。演算部１３は、準備終了予定時刻表示部２０３によって設定した終了予定時刻と動作内容設定部２０４によって設定した準備項目とに基づいて自動初期準備を自動的に開始する開始予定時刻を算出する。自動分析装置の自動初期準備は、演算部１３によって算出された開始予定時刻に自動的に開始され、準備終了予定時刻表示部２０３によって設定した終了予定時刻に終了する。【選択図】  図２
2011149905.tif 000002
【特許請求の範囲】
【請求項１】
分析対象試料を分析する自動分析装置であって、
前記分析対象試料を分析するための準備を行う自動初期準備の準備項目を選択的に設定する項目設定手段と、
前記分析対象試料を分析するための準備を行う自動初期準備の終了予定時刻を設定する終了予定時刻設定手段と、
前記終了予定時刻設定手段により設定された終了予定時刻と前記項目設定手段により設定された準備項目とに基づいて前記自動初期準備を自動的に開始する開始予定時刻を算出する開始予定時刻演算手段と
を備えたことを特徴とする自動分析装置。
【請求項２】
分析対象試料を分析する自動分析装置であって、
前記分析対象試料を分析するための準備を行う自動初期準備の準備項目を選択的に設定する項目設定手段と、
前記分析対象試料を分析するための準備を行う自動初期準備を自動的に開始する開始予定時刻を設定する開始予定時刻設定手段と、
前記開始予定時刻設定手段により設定された開始予定時刻と前記項目設定手段により設定された準備項目とに基づいて前記自動初期準備の終了予定時刻を算出する終了予定時刻演算手段と、
前記終了予定時刻演算手段により算出された終了予定時刻を表示する表示手段と
を備えたことを特徴とする自動分析装置。
【請求項３】
分析対象試料を分析する自動分析装置であって、
前記分析対象試料を分析するための準備を行う自動初期準備の準備項目を選択的に設定する項目設定手段と、
前記分析対象試料を分析するための準備を行う自動初期準備の終了予定時刻と自動初期準備を自動的に開始する開始予定時刻の何れか一方を選択する選択手段と、
前記選択手段により選択された予定時刻を設定する予定時刻設定手段と、
前記予定時刻設定手段により設定された予定時刻と前記項目設定手段により設定された準備項目に基づいて、前記選択手段により選択されない他方の予定時刻を算出する演算手段と
を備えたことを特徴とする自動分析装置。
【請求項４】
請求項１記載の自動分析装置において、
該自動分析装置は、前記分析対象試料を分析するための複数のモジュールにより構成されており、
前記モジュールのそれぞれについて設定された終了予定時刻と準備項目とに基づいて、それぞれのモジュールの開始予定時刻を算出することを特徴とする自動分析装置。
【発明の詳細な説明】
【技術分野】
【０００１】
本発明は、血清や尿等の生体試料の定性・定量分析を行う自動分析装置に関する。
【背景技術】
【０００２】
自動分析装置は、分析対象試料（例えば、血液や尿などの生体試料）に試薬等を加え、その物性を測定することにより定性・定量分析を行うものであり、分析結果の再現性や分析速度の迅速性の良さから、特に、多数の検体の分析を行う大病院や検査センター等で普及が進んでいる。
【０００３】
一方、このような自動分析装置においては、電源再投入後、或いは、スリープモード（節電を目的として夜間等の未使用時に一部電源を落とす機能）からの電源復帰後、分析処理の開始前に、分析結果の安定性や再現性を向上するための準備として、自動分析装置により自動で行われる初期準備（以降、自動初期準備と称する）や、オペレータが手動で行う初期準備（以降、手動初期準備と称する）など、多項目に亘る準備を行う必要がある。
【０００４】
従来、そのような初期準備に関して各種の提案がなされており、その例として、特許文献１（特開平８−３３８８４７号公報）、特許文献２（特開２００４−２８９３２号公報）、及び特許文献３（特開２００５−２４１６１２号公報）に開示されたものがある。
【０００５】
特許文献１に記載の自動分析装置は、立ち上げ時刻、停止時刻をタイマーでセット可能にし、装置立ち上げ時の複数の分析準備動作をリストから選択的に実行可能とすることにより、オペレータの不在時においても自動初期準備を開始させるようにしたものである。
【０００６】
特許文献２に記載の自動分析装置は、分析のためのオペレーションに先立ち必要な操作をその時の装置の状況を反映して画面表示することにより、装置操作に不慣れなオペレータでも事前に必要な準備を短時間にもれなく実行できるようにしたものである。
【０００７】
特許文献３に記載の自動分析装置は、複数の分析モジュールを有する自動分析システムにおいて、複数の分析モジュールの内の一部のモジュールをシステム全体から切り離し、復帰する時間を設定し、かつ、復帰後に複数の準備動作を実行することで、操作者が不在であっても分析に必要な準備動作を実行させるようにしたものである。
【先行技術文献】
【特許文献】
【０００８】
【特許文献１】特開平８−３３８８４７号公報
【特許文献２】特開２００４−２８９３２号公報
【特許文献３】特開２００５−２４１６１２号公報
【発明の概要】
【発明が解決しようとする課題】
【０００９】
自動分析装置における初期準備（自動初期準備、手動初期準備）は項目数が多く、これらの初期準備の全てを設定・実行することは非常に煩雑な作業であり、装置に習熟したオペレータにとっても全てを確認し実行するには時間を要する場合がある。したがって、自動初期準備に関する項目を選択式として設定時間を短縮したり、電源投入予定時間をタイマー設定可能とし、自動初期準備中のオペレータの待ち時間の短縮を図ったりし、初期準備全体の効率化を図っている。
【００１０】
しかしながら、上記従来技術においては、自動初期準備の終了時間は選択した自動初期準備の設定項目に応じて変わるので、終了時間を正確に把握して設定することができない。特に、装置に不慣れなオペレータが自動初期準備の項目設定を行う場合には、自動初期準備の終了する時間を把握することが困難であり、希望通りの時間に自動初期準備が終わらないことや、そのことによる分析作業全体の効率低下が懸念される。
【００１１】
本発明は、上記に鑑みてなされたものであり、オペレータが自動初期準備の終了予定時間を把握することができる自動分析装置を提供することを目的とする。
【課題を解決するための手段】
【００１２】
（１）上記目的を達成するために、本発明は、分析対象試料を分析する自動分析装置であって、前記分析対象試料を分析するための準備を行う自動初期準備の準備項目を選択的に設定する項目設定手段と、前記分析対象試料を分析するための準備を行う自動初期準備の終了予定時刻と自動初期準備を自動的に開始する開始予定時刻の何れか一方を選択する選択手段と、前記選択手段により選択された予定時刻を設定する予定時刻設定手段と、前記予定時刻設定手段により設定された予定時刻と前記項目設定手段により設定された準備項目に基づいて前記選択手段により選択されない他方の予定時刻を算出する演算手段とを備えたものとする。
【００１３】
（２）上記目的を達成するために、また本発明は、分析対象試料を分析する自動分析装置であって、前記分析対象試料を分析するための準備を行う自動初期準備の準備項目を選択的に設定する項目設定手段と、前記分析対象試料を分析するための準備を行う自動初期準備を自動的に開始する開始予定時刻を設定する開始予定時刻設定手段と、前記開始予定時刻設定手段により設定された開始予定時刻と前記項目設定手段により設定された準備項目とに基づいて前記自動初期準備の終了予定時刻を算出する終了予定時刻演算手段と、前記終了予定時刻演算手段により算出された終了予定時刻を表示する表示手段とを備えたものとする。
【００１４】
（３）上記目的を達成するために、また本発明は、分析対象試料を分析する自動分析装置であって、前記分析対象試料を分析するための準備を行う自動初期準備の準備項目を選択的に設定する項目設定手段と、前記分析対象試料を分析するための準備を行う自動初期準備の終了予定時刻と自動初期準備を自動的に開始する開始予定時刻の何れか一方を選択する選択手段と、前記選択手段により選択された予定時刻を設定する予定時刻設定手段と、前記予定時刻設定手段により設定された予定時刻と前記項目設定手段により設定された準備項目に基づいて、前記選択手段により選択されない他方の予定時刻を算出する演算手段とを備えたものとする。
【００１５】
（４）上記（１）において、好ましくは、該自動分析装置は、前記分析対象試料を分析するための複数のモジュールにより構成されており、前記モジュールのそれぞれについて設定された終了予定時刻と準備項目とに基づいて、それぞれのモジュールの開始予定時刻を算出するものとする。
【発明の効果】
【００１６】
本発明によれば、オペレータが自動初期準備の終了予定時間を容易、かつ正確に確認することができる。
【図面の簡単な説明】
【００１７】
【図１】本発明の第１の実施の形態に係る自動分析装置の全体構成を示す概略図である。
【図２】本発明の第１の実施の形態に係る自動初期準備の設定画面を示す図である。
【図３】本発明の第１の実施の形態に係る項目の設定画面を示す図である。
【図４】本発明の第１の実施の形態に係る記憶部のデータ格納状況を示す図である。
【図５】本発明の第１の実施の形態に係る自動初期準備の時刻演算処理の処理内容を示すフローチャートである。
【図６】本発明の第２の実施の形態に係る項目の設定画面を示す図である。
【図７】本発明の第２の実施の形態に係る自動初期準備の時刻演算処理の処理内容を示すフローチャートである。
【図８】本発明の第３の実施の形態に係る項目の設定画面を示す図である。
【図９】本発明の第３の実施の形態に係る自動初期準備の時刻演算処理の処理内容を示すフローチャートである。
【図１０】本発明の第４の実施の形態に係る自動分析装置の全体構成を示す概略図である。
【図１１】本発明の第４の実施の形態に係る項目の設定画面を示す図である。
【発明を実施するための形態】
【００１８】
本発明の実施の形態を図面を参照しつつ説明する。
【００１９】
＜第１の実施の形態＞
図１は、本発明の一実施の形態に係る自動分析装置の全体構成を概略的に示す図である。
【００２０】
図１において、本実施の形態における自動分析装置１００は、操作部１０と、分析部２０とを備えている。
【００２１】
分析部２０は、分析対象試料（例えば、血液や尿などの生体試料）に試薬等を加え、その物性（光度など）を測定するものであり、分析対象試料（以下、サンプルと称する）を収容したサンプル容器２１ａを収納したサンプルラック２１と、分析対象試料に加える第１試薬を収容した複数の試薬容器２２ａを収納した第１試薬ディスク２２と、分析対象試料に加える第２試薬を収容した複数の試薬容器２３ａを収納した第２試薬ディスク２３と、分析対象試料に第１及び第２試薬を加えた反応液を収容する複数の反応容器２４ａを収納した反応槽２４と、サンプル容器２１ａに収容されたサンプルを予め定められた反応容器２４ａに分注するサンプルプローブ２５と、試薬容器２２ａに収容された第１試薬を予め定められた反応容器２４ａに分注する第１試薬プローブ２６と、試薬容器２３ａに収容された第２試薬を予め定められた反応容器２４ａに分注する第２試薬プローブ２７と、反応容器２４ａに収容された反応液に光束を照射する光源ランプ２８と、光源ランプ２８から照射され反応容器２４ａを透過した光を検出する光検知器２９と、反応容器２４ａを洗浄する洗浄機構３０とを備えている。
【００２２】
第１及び第２ディスク２２，２３の外周には、その周方向に沿って複数の試薬容器２２ａ，２３ａが配置されており、図示しない回転駆動装置で回転駆動されることにより、試薬容器２２ａ，２３ａは第１及び第２試薬プローブ２６，２７による分注位置（試薬が吸引される位置）に搬送される。また、第１及び第２試薬ディスク２２，２３は、試薬容器２２ａ，２３ａに収容された試薬を保冷する試薬保冷庫の機能を有しており、これにより、試薬が適温に保たれ劣化が抑制される。
【００２３】
反応槽２４の外周には、その周方向に沿って複数の反応容器２４ａが配置されており、図示しない駆動装置で回転駆動されることにより、反応容器２４ａは、サンプルプローブ２５による分注位置（サンプルが吐出される位置）、第１及び第２試薬プローブ２６，２７による分注位置（試薬が吐出される位置）に搬送される。また、反応槽２４は、反応容器２４ａに収容された反応液を一定温度に保つ恒温槽の機能を有している。反応槽２４は、一定温度（例えば、約３７℃）に保たれた恒温液を循環するポンプ３１を有しており、反応槽２４内に循環させた恒温液に反応容器２４ａを浸した状態にすることにより、反応容器２４ａに収容された反応液の温度が一定温度（例えば、約３７℃）となるように調整している。なお、恒温液には雑菌の繁殖を抑える成分が添加されているが、この抗菌効果は時間が経過すると低下する。したがって、雑菌の繁殖を抑えるために反応槽２４内の恒温液の交換（反応槽水交換）を毎日おこなうことが推奨される。
【００２４】
光源ランプ２８は、操作部１０からの指令に基づいた光量を反応槽２４の反応容器２４ａに照射し、反応容器２４ａ、及び反応容器２４ａに収容された反応液を透過した光速を光検知器２９が測定する。測定結果は図示しない伝送手段を介して操作部１０に送られる。
【００２５】
洗浄機構３０は、分析の終了した反応液が収容された反応容器２４ａを洗浄するものであり、洗浄された反応容器２４ａは次のサンプルの分析に再利用される。
【００２６】
また、分析部２０は、操作部１０からの指令に基づいて、反応槽２４、サンプルプローブ２５、第１及び第２試薬プローブ２６，２７、光源ランプ２８、光検知器２９、洗浄機構３０の電力を供給する第１電源３２と、操作部１０からの指令に基づいて、第１及び第２試薬ディスク２２，２３の電力を供給する第２電源３３とを備えている。
【００２７】
操作部１０は、自動分析装置１００全体の操作を行うためのものであり、制御装置１１および表示装置１５を備えている。また、制御装置１１は、操作部１０を含む自動分析装置１００の全体の動作を制御する制御部１２と、記憶部１４と、演算部１３とを備えている。
【００２８】
記憶部１４には、装置の構成や仕様、電源管理設定、初期準備設定、分析条件、測定／分析結果、各種数式などが記憶されている。ここで、電源管理設定とは、スリープモード（電源の節電を目的として夜間等の未使用時に一部電源を落とす機能）の設定や自動分析装置の電源（第１及び第２電源３２，３３）のＯＮ／ＯＦＦスケジュールに関する設定である。また、初期準備設定とは、自動分析装置の初期準備に関する情報であり、初期準備の実施日や準備開始予定時刻、準備終了予定時刻、準備項目などから構成されている。なお、初期準備には、各部のウォームアップ、光度計確認、反応容器等の洗浄、反応槽水交換など自動分析装置により自動で行われる初期準備（自動初期準備と称する）や、試薬の交換、試薬補充、キャリブレーション、精度管理などオペレータが手動で行う初期準備（以降、手動初期準備と称する）などがある。またなお、初期準備設定の各項目について未設定の場合は、適当な初期値が登録されている。
【００２９】
演算部１３は、制御部１２からの指示に従って記憶部１４に記憶された情報を基に演算を行い、演算結果を記憶部１４や表示装置１５に送る。
【００３０】
制御部１２は、図示しない入力手段（キーボード、ＧＵＩ（Graphical User Interface）、タッチパネルなど）によって入力されるオペレータからの指示に従い、記憶部１４に記憶された電源管理設定や初期準備設定に基づいて、自動分析装置１００の電源（第１及び第２電源３２，３３）や初期準備の動作、分析動作の動作などを制御する。
【００３１】
表示装置１５は、各種設定画面や分析結果を表示するものであり、タッチパネルなどの入力手段としての機能を有している。
【００３２】
図２は本実施の形態に係る自動初期準備の設定画面を示す図であり、図３は準備項目の設定画面を示す図である。
【００３３】
図２において、自動初期準備の設定画面２００は、設定する実施曜日を設定する実施日設定部２０１と、準備開始予定時刻表示部２０２と、準備終了予定時刻表示部２０３と、準備項目としての動作内容を設定する動作内容設定部２０４と、登録ボタン２０５と、取消ボタン２０６とを備えている。オペレータが登録ボタン２０５を選択すると設定画面２００に表示された内容が初期準備設定として記憶部１４に記憶され、取消ボタン２０６を選択すると設定画面２００に表示された内容が破棄されて、入力前の初期準備設定の内容に戻る。
【００３４】
（１）実施日設定部２０１
実施日設定部２０１では、自動初期準備の設定を行う日を曜日により指定する。設定したい曜日を選択することにより、その曜日の初期準備設定を行うことができる。図２では、木曜日の自動初期準備を設定する場合を一例として示している。なお、設定方法は上記に限られず、日付による設定や、カレンダー等により選択的に設定する構成としてもよい。
【００３５】
（２）準備開始予定時刻表示部２０２
準備開始予定時刻表示部２０２には、後述する準備終了予定時刻及び自動初期準備の実行項目に基づいて演算された自動初期準備の準備開始予定時刻が表示される。
【００３６】
（３）準備終了予定時刻表示部２０３
準備終了予定時刻表示部２０３は、オペレータが操作部１０の図示しない入力手段によって希望する準備終了予定時刻を入力する部分であり、入力した準備終了予定時刻が表示される。
【００３７】
（４）動作内容設定部２０４
動作内容設定部２０４は、自動初期準備で行う準備項目を設定するものであり、オペレータが動作内容設定部を選択することにより、表示装置１５に準備項目の設定画面３００（図３参照）が表示される。
【００３８】
（４−１）設定画面３００
図３において、準備項目の設定画面３００は、選択可能な準備項目を表示する準備項目リスト表示部３０１と、準備項目として実際に選択した項目を表示する準備実行項目リスト表示部３０２と、準備項目リスト表示部３０１で選択した準備項目を準備実行項目リスト表示部３０２に追加する追加ボタン３０３と、準備実行項目リスト表示部３０２に表示された準備項目を決定する設定ボタン３０４と、準備実行項目リスト表示部３０２に表示された準備項目を取り消す取消ボタン３０５とを備えている。図３に示す準備項目リスト表示部３０１には、反応槽水交換、光度計確認、エアパージなどの項目が準備項目の選択支の一例として挙げており、準備項目として反応槽水交換、光度計確認を選択した場合を示している。オペレータにより所望の準備項目が選択されて準備実行項目リスト表示部３０２に追加され、設定ボタン３０４が選択されると、準備項目と所要時間の関係を示すデータ（以下、所要時間データと称する）と準備終了予定時刻表示部２０３に入力し表示された準備終了予定時刻に基づいて準備開始予定時刻が算出され、記憶部１４に記憶された初期準備設定の準備開始予定時刻に反映される（更新される）とともに、自動初期準備の設定画面２００の準備開始予定時刻表示部２０２が更新される（時刻演算処理）。
【００３９】
図４は、記憶部１４に記憶された所要時間データの構成例を示す図である。
【００４０】
図４において、所要時間データ４００は、自動初期準備の複数の準備項目４１１，４１２，４１３，・・・からなる準備項目リスト情報４０１と、準備項目リスト情報４０１の各準備項目に対応する所要時間４２１，４２２，４２３，・・・からなる所要時間情報４０２とで構成されている。図４には、準備項目リスト情報４０１の準備項目の一例として、反応槽水交換４１１、光度計確認４１２、エアパージ４１３を示しており、各準備項目に対応する所要時間情報４０２の一例として３０分１５秒（所要時間４２１）、５分１２秒（所要時間４２２）、１２分５秒（所要時間４２３）を示している。つまり、自動初期準備における反応槽水交換は３０分１５秒、光度計確認は５分１２秒、エアパージは１２分０５秒がそれぞれ所要時間であることを示している。
【００４１】
ここで、反応槽水交換とは、反応槽２４内の恒温液の交換を交換することであり、これにより雑菌の繁殖を抑える。光度計確認とは、光源ランプ２８からの照射光の光量及び光検知器２９の検知精度を確認するものであり、これにより光量不良や検知不良による測定結果への悪影響を抑制する。エアパージとは、サンプルプローブ２５や試薬プローブ２６，２７などの内部に混入した気泡等を排除することであり、これにより試料や試薬の分注量のばらつきを抑制し、測定結果への悪影響を抑制する。なお、気泡等の排除に加え気泡が混入していないかどうかの確認までを含めてエアパージと称することもある。
【００４２】
次に自動初期準備の準備開始予定時刻に関する時刻演算処理の詳細を図５のフローチャートを用いて説明する。
【００４３】
制御装置１１の制御部１２は、図示しない入力手段により自動初期準備の終了予定時刻が設定画面２００の準備終了予定時刻表示部２０２に入力されるか、設定画面３００で登録ボタンが押されるかすると、演算部１３に時刻演算処理の開始を指示する。
【００４４】
まず、演算部１３は、記憶部１４に初期準備設定として記憶された準備実行項目を確認する（ステップＳ１０１）。
【００４５】
次に、準備実行項目の各準備項目に対応する所要時間を記憶部１４に記憶された所要時間データ４００から読み出す（ステップＳ１０２）。
【００４６】
次に、記憶部１４の初期準備設定の準備実行項目の全てを終了するのに必要な時間を計算し、準備終了予定時刻表示部２０３で設定して表示された準備終了予定時刻から逆算することにより、準備開始予定時刻を算出し、記憶部１４に初期準備設定として記憶させる（ステップＳ１０３）。
【００４７】
そして、初期準備設定の準備開始予定時刻を準備開始予定時刻表示部２０２に表示して処理を終了する（ステップＳ１０４）。
【００４８】
以上のように構成した本実施の形態の動作を説明する。
自動分析装置において、制御部１２は、記憶部１４に記憶された電源管理設定などに基づいて、夜間や休日など、分析処理を数時間以上に亘って実施しない場合、待機電力を削減するため一部電源（第１電源３２）が停止の状態（スリープモード）となるように制御する。ただし、スリープモードにおいても操作部１０、第１及び第２試薬ディスク２２，２３（試薬容器２２ａ，２３ａに収容された試薬を保冷する試薬保冷庫の機能）の電源（第２電源３３）は停止しない。
【００４９】
このようなスリープモードからの電源復帰後（或いは、電源再投入後）、分析処理の開始前に、自動分析装置により自動で行われる自動初期準備や、オペレータが手動で行う手動初期準備など、多項目に亘る準備を行う。
【００５０】
（自動初期準備設定）
オペレータは、操作部１０の表示装置１５に表示された自動初期準備の設定画面２００において自動初期準備の設定を行う。オペレータは、まず、設定する実施曜日を実施日設定部２０１により選択する。次に、準備終了予定時刻表示部２０３に自動初期準備の終了予定時刻を入力し、動作内容設定部２０４を選択して設定画面３００を表示させて準備項目の設定を行う。このとき、準備開始予定時刻表示部２０２に開始予定時刻が表示され、登録ボタン２０５を選択することにより記憶部１４に初期準備設定として記憶される。例えば、初期準備の項目として反応槽水交換（所要時間３０分１５秒：図４参照）と光度計確認（所用時間５分１２秒：図４参照）を選択し、準備終了予定時刻を７時５０分とした場合（図２に示す場合）、準備開始予定時刻は７時１５分となる。このとき、秒単位は切り捨てる。また、複数の準備項目が並行して実行可能である場合は、それらの項目のうち最長の所要時間から計算する。例えば、反応槽水交換と光度計確認が並行して実行可能な場合、所要時間は３０分１５秒を用いて計算し、準備開始予定時刻は７時２０分となる。
【００５１】
（自動初期準備動作）
自動分析装置がスリープモードである場合において、記憶部１４に記憶された初期準備設定の準備開始予定時刻になると、自動初期準備が開始され、準備終了予定時刻として設定した時間、すなわち、オペレータの所望の時間に自動初期準備が終了する。
【００５２】
（手動初期準備実施）
オペレータは、自動初期準備が終了したことを確認し、試薬の交換、試薬補充、キャリブレーション、精度管理など、手動で行う手動初期準備を実行する。その後、必要な分析処理を開始する。
【００５３】
以上のように構成した本実施の形態の効果を説明する。
【００５４】
従来技術の自動分析装置における初期準備（自動初期準備、手動初期準備）は項目数が多く、これらの初期準備の全てを設定・実行することは非常に煩雑な作業であり、装置に習熟したオペレータにとっても全てを確認し実行するには時間を要する場合がある。したがって、自動初期準備に関する項目を選択式として設定時間を短縮したり、電源投入予定時間をタイマー設定可能とし、自動初期準備中のオペレータの待ち時間の短縮を図ったりし、初期準備全体の効率化を図っている。しかしながら、自動初期準備の終了時間は選択した自動初期準備の設定項目に応じて変わるので、終了時間を正確に把握して設定することができない。特に、装置に不慣れなオペレータが自動初期準備の項目設定を行う場合には、自動初期準備の終了する時間を把握することが困難であり、希望通りの時間に自動初期準備が終わらないことや、そのことによる分析作業全体の効率低下が懸念される。
【００５５】
これに対し、本実施の形態においては、準備終了予定時刻と準備項目とに基づいて自動初期準備を自動的に開始する準備開始予定時刻を算出するように構成したので、オペレータが自動初期準備の終了予定時間を把握することができ、分析作業全体の効率低下を抑制することができる。
【００５６】
＜第２の実施の形態＞
本発明の第２の実施の形態を図６及び図７を用いて説明する。本実施の形態は、準備開始予定時刻と準備項目を設定するようにし、それらから準備終了予定時刻を算出して表示するように構成したものである。図中、第１の実施の形態で示した部材と同等の部材には同じ符号を付し、適宜説明を省略する。
【００５７】
図６は本実施の形態に係る自動初期準備の設定画面を示す図である。
【００５８】
図６において、自動初期準備の設定画面２００Ａは、設定する実施曜日を設定する実施日設定部２０１と、準備開始予定時刻表示部２０２Ａと、準備終了予定時刻表示部２０３Ａと、準備項目としての動作内容を設定する動作内容設定部２０４と、登録ボタン２０５と、取消ボタン２０６とを備えている。オペレータが登録ボタン２０５を選択すると設定画面２００Ａに表示された内容が初期準備設定として記憶部１４に記憶され、取消ボタン２０６を選択すると設定画面２００Ａに表示された内容が破棄されて、入力前の初期準備設定の内容に戻る。
【００５９】
（１）実施日設定部２０１
実施日設定部２０１では、自動初期準備の設定を行う日を曜日により指定する。設定したい曜日を選択することにより、その曜日の初期準備設定を行うことができる。図６では、木曜日の自動初期準備を設定する場合を一例として示している。なお、設定方法は上記に限られず、日付による設定や、カレンダー等により選択的に設定する構成としてもよい。
【００６０】
（２）準備開始予定時刻表示部２０２Ａ
準備終了予定時刻表示部２０２Ａは、オペレータが操作部１０の図示しない入力手段によって希望する準備開始予定時刻を入力する部分であり、入力した準備開始予定時刻が表示される。
【００６１】
（３）準備終了予定時刻表示部２０３Ａ
準備終了予定時刻表示部２０３Ａには、準備開始予定時刻及び自動初期準備の実行項目に基づいて演算された自動初期準備の準備終了予定時刻が表示される。
【００６２】
（４）動作内容設定部２０４
動作内容設定部２０４は、自動初期準備で行う準備項目を設定するものであり、オペレータが動作内容設定部を選択することにより、表示装置１５に準備項目の設定画面３００（図３参照）が表示される。
【００６３】
次に自動初期準備の準備開始予定時刻に関する時刻演算処理の詳細を図７のフローチャートを用いて説明する。
【００６４】
制御装置１１の制御部１２は、図示しない入力手段により自動初期準備の開始予定時刻が設定画面２００Ａの準備開始予定時刻表示部２０２Ａに入力されるか、設定画面３００で登録ボタンが押されるかすると、演算部１３に時刻演算処理の開始を指示する。
【００６５】
まず、演算部１３は、記憶部１４に初期準備設定として記憶された準備実行項目を確認する（ステップＳ１０１）。
【００６６】
次に、準備実行項目の各準備項目に対応する所要時間を記憶部１４に記憶された所要時間データ４００から読み出す（ステップＳ１０２）。
【００６７】
次に、記憶部１４の初期準備設定の準備実行項目の全てを終了するのに必要な時間を計算し、準備開始予定時刻表示部２０２Ａで設定して表示された準備開始予定時刻に加算することにより、準備終了予定時刻を算出し、記憶部１４に初期準備設定として記憶させる（ステップＳ１０３Ａ）。
【００６８】
そして、初期準備設定の準備終了予定時刻を準備終了予定時刻表示部２０３Ａに表示して処理を終了する（ステップＳ１０４）。
【００６９】
その他の構成は本発明の第１の実施の形態と同様である。
【００７０】
以上のように構成した本実施の形態の動作を説明する。
自動分析装置において、制御部１２は、記憶部１４に記憶された電源管理設定などに基づいて、夜間や休日など、分析処理を数時間以上に亘って実施しない場合、待機電力を削減するため一部電源（第１電源３２）が停止の状態（スリープモード）となるように制御する。ただし、スリープモードにおいても操作部１０、第１及び第２試薬ディスク２２，２３（試薬容器２２ａ，２３ａに収容された試薬を保冷する試薬保冷庫の機能）の電源（第２電源３３）は停止しない。
【００７１】
このようなスリープモードからの電源復帰後（或いは、電源再投入後）、分析処理の開始前に、自動分析装置により自動で行われる自動初期準備や、オペレータが手動で行う手動初期準備など、多項目に亘る準備を行う。
【００７２】
（自動初期準備設定）
オペレータは、操作部１０の表示装置１５に表示された自動初期準備の設定画面２００において自動初期準備の設定を行う。オペレータは、まず、設定する実施曜日を実施日設定部２０１により選択する。次に、準備開始予定時刻表示部２０２Ａに自動初期準備の開始予定時刻を入力し、動作内容設定部２０４を選択して設定画面３００を表示させて準備項目の設定を行う。このとき、準備終了予定時刻表示部２０３Ａに終了予定時刻が表示される。オペレータは、準備終了予定時刻表示部２０３Ａに表示される終了予定時刻を確認しながら準備開始予定時刻表示部２０２Ａに入力する準備開始予定時刻を調整し、終了予定時刻が所望の時刻となるように調整する。そして、登録ボタン２０５を選択することにより記憶部１４に初期準備設定として記憶される。例えば、初期準備の項目として反応槽水交換（所要時間３０分１５秒：図４参照）と光度計確認（所用時間５分１２秒：図４参照）を選択し、準備開始予定時刻を７時１５分とした場合（図２に示す場合）、準備終了予定時刻は７時５０分となる。
【００７３】
（自動初期準備動作）
自動分析装置がスリープモードである場合において、記憶部１４に記憶された初期準備設定の準備開始予定時刻になると、自動初期準備が開始され、準備終了予定時刻として設定した時間、すなわち、オペレータの所望の時間に自動初期準備が終了する。
【００７４】
（手動初期準備実施）
オペレータは、自動初期準備が終了したことを確認し、試薬の交換、試薬補充、キャリブレーション、精度管理など、手動で行う手動初期準備を実行する。その後、必要な分析処理を開始する。
【００７５】
以上のように構成した本実施の形態においては、準備開始予定時刻と準備項目とに基づいて自動初期準備を終了する準備終了予定時刻を算出して表示するように構成したので、オペレータが自動初期準備の終了予定時間を把握することができ、分析作業全体の効率低下を抑制することができる。
【００７６】
＜第３の実施の形態＞
本発明の第３の実施の形態を図８及び図９を用いて説明する。本実施の形態は、準備開始予定時刻と準備終了予定時刻のどちらを設定するかを選択し、選択し入力した予定時刻と準備項目とから選択していない方の予定時刻を算出して表示するように構成したものである。図中、第１の実施の形態で示した部材と同等の部材には同じ符号を付し、適宜説明を省略する。
【００７７】
図８は本実施の形態に係る自動初期準備の設定画面を示す図である。
【００７８】
図８において、自動初期準備の設定画面２００Ｂは、設定する実施曜日を設定する実施日設定部２０１と、準備開始予定時刻表示部２０２Ｂと、準備終了予定時刻表示部２０３Ｂと、準備項目としての動作内容を設定する動作内容設定部２０４と、登録ボタン２０５と、取消ボタン２０６と、準備開始予定時刻と準備終了予定時刻の何れかを選択する選択部２０７ａ，２０７ｂとを備えている。オペレータが登録ボタン２０５を選択すると設定画面２００Ｂに表示された内容が初期準備設定として記憶部１４に記憶され、取消ボタン２０６を選択すると設定画面２００Ｂに表示された内容が破棄されて、入力前の初期準備設定の内容に戻る。
【００７９】
（１）実施日設定部２０１
実施日設定部２０１では、自動初期準備の設定を行う日を曜日により指定する。設定したい曜日を選択することにより、その曜日の初期準備設定を行うことができる。図８では、木曜日の自動初期準備を設定する場合を一例として示している。なお、設定方法は上記に限られず、日付による設定や、カレンダー等により選択的に設定する構成としてもよい。
【００８０】
（２）準備開始予定時刻表示部２０２Ｂ／選択部２０７ａ
選択部２０７ａが選択された場合、準備終了予定時刻表示部２０２Ｂは、オペレータが操作部１０の図示しない入力手段によって希望する準備開始予定時刻を入力する部分となり、入力した準備開始予定時刻が表示される。また、選択部２０７ａが選択されない場合（選択部２０７ｂが選択された場合）、準備開始予定時刻表示部２０２Ｂには、準備終了予定時刻表示部２０３Ｂに入力された準備終了予定時刻及び自動初期準備の実行項目に基づいて演算された自動初期準備の準備開始予定時刻が表示される。
【００８１】
（３）準備終了予定時刻表示部２０３Ｂ／選択部２０７ｂ
選択部２０７ｂが選択された場合、準備終了予定時刻表示部２０３Ｂは、オペレータが操作部１０の図示しない入力手段によって希望する準備終了予定時刻を入力する部分となり、入力した準備終了予定時刻が表示される。また、選択部２０７ｂが選択されない場合（選択部２０７ａが選択された場合）、準備終了予定時刻表示部２０３Ｂには、準備開始予定時刻表示部２０２Ｂに入力された準備開始予定時刻及び自動初期準備の実行項目に基づいて演算された自動初期準備の準備終了予定時刻が表示される。
【００８２】
（４）動作内容設定部２０４
動作内容設定部２０４は、自動初期準備で行う準備項目を設定するものであり、オペレータが動作内容設定部を選択することにより、表示装置１５に準備項目の設定画面３００（図３参照）が表示される。
【００８３】
次に自動初期準備の準備開始予定時刻に関する時刻演算処理の詳細を図９のフローチャートを用いて説明する。
【００８４】
制御装置１１の制御部１２は、図示しない入力手段により自動初期準備の開始予定時刻が設定画面２００Ｂの準備開始予定時刻表示部２０２Ｂに入力されるか、設定画面３００で登録ボタンが押されるかすると、演算部１３に時刻演算処理の開始を指示する。
【００８５】
まず、演算部１３は、記憶部１４に初期準備設定として記憶された準備実行項目を確認する（ステップＳ１０１）。
【００８６】
次に、準備実行項目の各準備項目に対応する所要時間を記憶部１４に記憶された所要時間データ４００から読み出す（ステップＳ１０２）。
【００８７】
次に、選択部２０７ａ，２０７ｂのどちらが選択されたかを記憶部１４に記憶された所要時間データ４００から読み出す（ステップＳ１０２０）。
【００８８】
次に、記憶部１４の初期準備設定の準備実行項目の全てを終了するのに必要な時間を計算し、選択部２０７ａが選択された場合には準備開始予定時刻表示部２０２Ｂで設定して表示された準備開始予定時刻に加算することにより準備終了予定時刻を算出し、また、選択部２０７ｂが選択された場合には準備終了予定時刻表示部２０３Ｂで設定して表示された準備終了予定時刻から逆算することにより準備開始予定時刻を算出し、記憶部１４に初期準備設定として記憶させる（ステップＳ１０３Ｂ）。
【００８９】
そして、初期準備設定の準備終了予定時刻及び準備開始予定時刻を準備終了予定時刻表示部２０３Ｂ及び準備開始予定時刻表示部２０２Ｂに表示して処理を終了する（ステップＳ１０４）。
【００９０】
その他の構成は本発明の第１の実施の形態と同様である。
【００９１】
以上のように構成した本実施の形態においても、第１及び第２の実施の形態と同様の効果を得ることができる。
【００９２】
＜第４の実施の形態＞
本発明の第４の実施の形態を図１０及び図１１を用いて説明する。本実施の形態は、第１の実施の形態において、複数の分析モジュールのそれぞれに関して、準備終了予定時刻と準備項目を設定するように構成したものである。図中、第１の実施の形態で示した部材と同等の部材には同じ符号を付し、適宜説明を省略する。
図１０は、本発明の一実施の形態に係る自動分析装置の全体構成を概略的に示す図である。
【００９３】
図１０において、本実施の形態における自動分析装置１００Ｃは、操作部１０と、分析部２０と同様の構成を有する複数（例えば３つ）のモジュール２０ａ，２０ｂ，２０ｃと、サンプルを収容したサンプル容器２１ａを収納したサンプルラック２１（図１参照）を自動分析装置１００Ｃに投入する投入部９０と、サンプルラック２１を収納する収納部９１と、サンプルラック２１を自動分析装置１００Ｃの各部に搬送する搬送部９２とから構成されている。
【００９４】
図１１は本実施の形態に係る自動初期準備の設定画面を示す図である。
【００９５】
図１１において、自動初期準備の設定画面２００Ｃは、設定する実施曜日を設定する実施日設定部２０１と、準備開始予定時刻表示部２０２と、準備終了予定時刻表示部２０３と、準備項目としての動作内容を設定する動作内容設定部２０４と、登録ボタン２０５と、取消ボタン２０６と、自動初期設定の設定対象となるモジュールを選択するモジュール選択部２０８ａ，２０８ｂ，２０８ｃとを備えている。オペレータが登録ボタン２０５を選択すると設定画面２００Ｃに表示された内容が初期準備設定として操作部１０の記憶部１４（図１参照）に記憶され、取消ボタン２０６を選択すると設定画面２００Ｃに表示された内容が破棄されて、入力前の初期準備設定の内容に戻る。
【００９６】
（１）実施日設定部２０１
実施日設定部２０１では、自動初期準備の設定を行う日を曜日により指定する。設定したい曜日を選択することにより、その曜日の初期準備設定を行うことができる。図２では、木曜日の自動初期準備を設定する場合を一例として示している。なお、設定方法は上記に限られず、日付による設定や、カレンダー等により選択的に設定する構成としてもよい。
【００９７】
（２）準備開始予定時刻表示部２０２
準備開始予定時刻表示部２０２には、後述する準備終了予定時刻及び自動初期準備の実行項目に基づいて演算された自動初期準備の準備開始予定時刻が表示される。
【００９８】
（３）準備終了予定時刻表示部２０３
準備終了予定時刻表示部２０３は、オペレータが操作部１０の図示しない入力手段によって希望する準備終了予定時刻を入力する部分であり、入力した準備終了予定時刻が表示される。
【００９９】
（４）動作内容設定部２０４
動作内容設定部２０４は、自動初期準備で行う準備項目を設定するものであり、オペレータが動作内容設定部を選択することにより、表示装置１５に準備項目の設定画面３００（図３参照）が表示される。
【０１００】
（５）設定対象選択部２０８ａ，２０８ｂ，２０８ｃ
設定対象選択部２０８ａ，２０８ｂ，２０８ｃは、自動初期設定の設定対象となるモジュールを選択するものであり、オペレータが自動初期設定を行いたいモジュールを選択することにより、所望のモジュールについて設定を行うことができる。
【０１０１】
その他の構成は本発明の第１の実施の形態と同様である。
【０１０２】
以上のように構成した本実施の形態においても、第１の実施の形態と同様の効果を得ることができる。
【符号の説明】
【０１０３】
１０，１０Ｃ・・・操作部、１１・・・制御装置、１２・・・制御部、１３・・・演算部、１４・・・記憶部、１５・・・表示装置、２０・・・分析部、２１・・・サンプルラック、２１ａ・・・サンプル容器、２２・・・第１試薬ディスク、２２ａ・・・試薬容器、２３・・・第２試薬ディスク、２３ａ・・・試薬容器、２４・・・反応槽、２４ａ・・・反応液、２５・・・サンプルプローブ、２６・・・第１試薬プローブ、２７・・・第２試薬プローブ、２８・・・光源ランプ、２９・・・光検知器、３０・・・洗浄機構、３１・・・ポンプ、９０・・・投入部、９１・・・収納部、９２・・・搬送部、１００，１００Ｃ・・・自動分析装置、２００，２００Ａ，２００Ｂ，２００Ｃ・・・設定画面、２０１・・・実施日設定部、２０２・・・準備開始予定時刻表示部、２０３・・・準備終了予定時刻表示部、２０４・・・動作内容設定部、２０５・・・登録ボタン、２０６・・・取消ボタン、３００・・・設定画面、３０１・・・準備項目リスト表示部、３０２・・・準備実行項目リスト表示部、３０３・・・追加ボタン、３０４・・・設定ボタン、３０５・・・取消ボタン、４００・・・所要時間データ４００、４０１・・・準備項目リスト情報、４０２・・・所要時間情報
【図１】
2011149905.tif 000003
【図２】
2011149905.tif 000004
【図３】
2011149905.tif 000005
【図４】
2011149905.tif 000006
【図５】
2011149905.tif 000007
【図６】
2011149905.tif 000008
【図７】
2011149905.tif 000009
【図８】
2011149905.tif 000010
【図９】
2011149905.tif 000011
【図１０】
2011149905.tif 000012
【図１１】
2011149905.tif 000013